(57)【要約】【課題】複数本の配線ケーブルをモールに一人で容易に嵌合させ、複数本の配線ケーブルをモールから一人で容易に取り出せる配線ケーブル用モールを提供することを目的とする。【解決手段】本発明は、複数の配線ケーブルを束ねて収納する上蓋５０と下蓋４０からなる配線ケーブルのモールであって、前記複数の配線ケーブルを束ねた配線ケーブルの束を覆うように下蓋４０の内側に形成された第一の面ファスナー２０と前記第一の面ファスナー２０と係合し、かつ前記配線ケーブルの束を覆うように第二の面ファスナー３０が設けられていることを特徴とする配線ケーブル用モールにより上記の課題を解決した。【選択図】  図１
2015159661.tif 000002
【特許請求の範囲】
【請求項１】
複数の配線ケーブルを束ねて収納する上蓋と下蓋からなる配線ケーブルのモールであって、前記複数の配線ケーブルを束ねた配線ケーブルの束を覆うように下蓋の内側に形成された第一の面ファスナーと前記第一の面ファスナーと係合し、かつ前記配線ケーブルの束を覆うように第二の面ファスナーが設けられていることを特徴とする配線ケーブル用モール。
【請求項２】
前記第一の面ファスナーと前記第二の面ファスナーは、ループ状に起毛された係合素子とフック状に起毛された係合素子とが混在して形成されていることを特徴とする請求項１記載の配線ケーブル用モール。
【請求項３】
前記複数の配線ケーブルは、ＬＡＮケーブルであることを特徴とする請求項１または２記載の配線ケーブル用モール。
【発明の詳細な説明】
【技術分野】
【０００１】
本発明は、配線ケーブル用モールに関し、さらに詳しくは配線ケーブルの束を覆うように第一の面ファスナーと第二の面ファスナーが形成されている配線ケーブル用モールに関するものである。
【背景技術】
【０００２】
ＬＡＮ（Ｌｏｃａｌ  Ａｒｅａ  Ｎｅｔｗｏｒｋ）に代表される配線ケーブルは、その構造において、中心導体を絶縁体で被覆した電線を少なくとも２本の対撚線とする配線ケーブルを複数本束ね、さらに、緩衝層で中心方向に押しつぶすようにして外被の中に包み込むようになっている。
【０００３】
配線ケーブルの種類によっては前記緩衝層の周りをシールド材で覆い、その外側に外被を形成するものもある。このように配線ケーブルは、中心導体を様々な絶縁材料で覆う構造となっているので一般に柔軟性に欠けている。従って配線ケーブルは一般的に結束しにくい性質がある。
【０００４】
そこで、複数本の配線ケーブルを束ねて、配線ケーブル用のモールに嵌合して収納することにより対応するコネクターや壁面等に一人で複数本の配線ケーブルを容易に配線することが可能となる。
【０００５】
しかしながら、複数本の配線ケーブルをモールに直線状に押し込んで嵌合させるには手間がかかり、緩みなく完全に嵌合させるのには複数の人手が必要となる。そこでモールの底面に粘着剤を塗布することによって一人で複数本の配線ケーブルをモールに嵌合させる方法が開示されている（特許文献１参照）。
【０００６】
しかし、上述した方法では、モールの底面に粘着剤が形成されているため、複数の配線ケーブルを一人でモール内に嵌合させることは容易であるが、複数本の配線ケーブルが粘着剤で接着されているためモール内から取り出すのは容易ではなくなる。一方、蓋のないモールの上部から複数本の配線ケーブルを対応する溝に収納する方法もあるが、溝にゴミや塵等が混入してしまう可能性がある。さらに、配線ケーブルは、保管時に巻いて保管されることから、直線状に配線することが難しく、複数本の配線ケーブルの場合には、モールの下蓋に上蓋を被せるのが困難で、配線ケーブルがモールからはみ出してしまう懸念がある。
【先行技術文献】
【特許文献】
【０００７】
【特許文献１】特開２００１−８６６２４号公報
【発明の概要】
【発明が解決しようとする課題】
【０００８】
そこで本発明は、複数本の配線ケーブルをモールに一人で容易に嵌合させ、複数本の配線ケーブルをモールから一人で容易に取り出せる配線ケーブル用モールを提供することを目的とする。
【課題を解決するための手段】
【０００９】
本発明に係わる配線ケーブル用モールは、以下の各発明により上記課題を解決した。なお、以下の各発明に付した括弧内の符号は、図面に付した符号と対応している。
【００１０】
本発明に係わる第１の発明は、複数の配線ケーブルを束ねて収納する上蓋（５０）と下蓋（４０）からなる配線ケーブルのモールであって、前記複数の配線ケーブルを束ねた配線ケーブルの束を覆うように下蓋（４０）の内側に形成された第一の面ファスナー（２０）と前記第一の面ファスナー（２０）と係合し、かつ前記配線ケーブルの束を覆うように第二の面ファスナー（３０）が設けられていることを特徴とする配線ケーブル用モールである。
【００１１】
本発明に係わる第２の発明は、第１の発明において、前記第一の面ファスナー（２０）と前記第二の面ファスナー（３０）は、ループ状に起毛された係合素子とフック状に起毛された係合素子とが混在して形成されていることを特徴とする配線ケーブル用モールである。
【００１２】
本発明に係わる第３の発明は、第１の発明または第２の発明のいずれか１つの発明において、前記複数の配線ケーブルは、ＬＡＮケーブルであることを特徴とする配線ケーブル用モールである。
【発明の効果】
【００１３】
本発明によれば、第一の面ファスナーと第二の面ファスナーとをモールの内側に形成することにより配線ケーブルを折畳むことなく一人で容易に係合することが可能で、上蓋と下蓋とを簡単に嵌合させることができる。さらに、配線ケーブルの電気特性を維持でき、配線ケーブルを破損することもなく束ねて整理することができ、狭い場所での作業性も向上させることができるという大きな効果がある。
【図面の簡単な説明】
【００１４】
【図１】本実施形態に係わる配線ケーブル用モールの断面図の一例である。
【図２】本実施形態に係わる配線ケーブル用モールの断面図の別の一例である。
【発明を実施するための形態】
【００１５】
次に、本発明の実施形態について、図面を参照して詳述する。
【００１６】
図１は、本実施形態に係わる配線ケーブル用モールの断面図の一例である。
図１において、１０は配線ケーブル、２０は第一の面ファスナー、３０は第二の面ファスナー、４０は下蓋、５０は上蓋を示している。第一の面ファスナー２０はモールの下蓋の内側に形成されており、第一の面ファスナー２０が脱落しないように第一の面ファスナー２０と下蓋４０とが接着剤等で固定されているのが好適である。第二の面ファスナー３０の外面は配線ケーブル１０を覆うように前記第一の面ファスナー２０の内面側で係合されており、複数の配線ケーブル１０は前記第一の面ファスナー２０と前記第二の面ファスナー３０とで覆われて固定されるため、モールの上蓋５０と下蓋４０とを一人で容易に嵌合させることが可能となった。特に配線ケーブル１０の本数が少ない場合に、モール内での配線ケーブル１０の緩みがなくなり配線ケーブル１０をモール内に容易に収納でき、かつ確実に固定することができた。
【００１７】
本実施形態で用いられる第一の面ファスナー２０と第二の面ファスナー３０は、ループ状に起毛された係合素子とフック状に起毛された係合素子とから構成されており、ループ状に起毛された係合素子は、基材の表面に合成繊維の単繊維糸からなるループ状に形成されたもので、フック状に起毛された係合素子は、前記基材の表面に合成繊維の単繊維糸からなるフック状に形成されたものである。第一の面ファスナー２０と第二の面ファスナー３０はそれぞれ表裏の両面および側面に係合素子が形成されているのが好ましいが、配線ケーブル１０を覆う部分を含めた領域の面のみに形成されていてもよい。
【００１８】
ループ状に起毛された係合素子あるいはフック状に起毛された係合素子は単繊維糸ではなく多繊維糸から形成されていてもよい。多繊維糸からなる係合素子は、フックとループが係合した場合に、単繊維糸の場合よりも互いに強く係合することが可能となり、係合した第一の面ファスナー２０と第二の面ファスナー３０どうしが外れ難くなる。
【００１９】
係合素子に用いられる合成繊維としては、例えば、ナイロンを含むポリアミド、熱硬化性材料、熱可塑性材料等を用いることができるが、これらの材料に限定されるものではない。ビッグデータ等を扱うデータセンターなどでは配線ケーブルが太くなる。この場合はループ状に起毛された係合素子とフック状に起毛された係合素子は、金属材料を使用することも可能である。
【００２０】
ループ状に起毛された係合素子は、前記材料の単繊維糸あるいは多繊維糸のループから作製され、熱処理によって最終形体に形成される。フック状に起毛された係合素子は、ループ状に起毛された係合素子をフック状に切断して形成する。
【００２１】
配線ケーブルは、単線と撚線の２種類がある。単線はサーバーからハブまでに対応でき、撚線はハブから本体まで対応ができる。
【００２２】
円筒導体に流れる電流は直流なら導体断面に一様に分布するが、周波数の増加と共に導体表面に集中し、内部の電流密度が減少する現象は表皮効果として知られている。表皮効果の結果として、導体の実効面積が減少し、交流抵抗が増加するのでコイル巻線では周波数の上昇と共に導体損失が増えクオリティファクターが低下する。この対策として中間周波トランス等の巻線として使用されてきたのがリッツ線で、これは、絶縁された複数の細い導体素線を集めて撚り合せたものである。
【００２３】
このように撚り合せた撚線とすることで、ノイズの影響を緩和させ、電気特性、特に高周波特性が安定するというメリットがある。
【００２４】
図２は、本実施形態に係わる配線ケーブル用モールの断面図の別の一例である。図２において、６０は配線ケーブル、７０は第一の面ファスナー、８０は第二の面ファスナー、９０は下蓋、９５は上蓋を示している。図２では、第一の面ファスナー７０に第二の面ファスナー８０を載せたような状態で係合されているが、これは、収納する配線ケーブル６０の本数が多い場合に用いることができる。第二の面ファスナー８０は柔らかくアーチ型にしなるため、配線ケーブル６０の本数が多くても確実に固定することができた。
【００２５】
以下、具体的な実施形態について説明する。
【００２６】
（実施形態１）
モールの下蓋４０の内面に第一の面ファスナー２０を粘着剤を用いて形成し、配線ケーブルを収納した。配線ケーブル１０を包み覆うように第二の面ファスナー３０を被せ、第二の面ファスナー３０と第一の面ファスナー２０とを係合させた。最後にモールの上蓋５０を被せて配線ケーブル用モールとした。
【００２７】
（実施形態２）
モールの下蓋９０の内面に第一の面ファスナー７０を粘着剤を用いて形成し、配線ケーブルを収納した。配線ケーブル６０を覆うように第二の面ファスナー８０を被せ、第二の面ファスナー８０と第一の面ファスナー７０とを係合させた。最後にモールの上蓋９５を被せて配線ケーブル用モールとした。
【符号の説明】
【００２８】
１０      配線ケーブル
２０      第一の面ファスナー
３０      第二の面ファスナー
４０      下蓋
５０      上蓋
６０      配線ケーブル
７０      第一の面ファスナー
８０      第二の面ファスナー
９０      下蓋
９５      上蓋
【図１】
2015159661.tif 000003
【図２】
2015159661.tif 000004